(57)【要約】      （修正有）【課題】取り付け作業の負担を低減することが可能な景品検出センサ装置を提供する。【解決手段】景品が展示される展示部から当該展示部よりも下方側に設けられ景品を排出可能な排出口への経路である景品排出経路のいずれかの部位に取り付け可能であって、互いに対向し、かつ、景品が排出される方向に対して直交または傾斜する方向となるように取り付け可能な取り付け部を有する第１ユニット２ａ及び第２ユニット２ｂと、第１ユニットと第２ユニットのうち、１つの発光部２１０ａ、２１４ｃ、．．．、２２７ｄがいずれか一方のユニットに設けられ、発光部からの光を受光可能な複数の受光部２１１ｂ、２１２ｂ、．．．、２２９ｅがもう一方のユニットに設けられ、１つの発光部と複数の受光部が第１ユニット及び第２ユニットにおいて交互に配置される。【選択図】図２
2020018771.tif 000002
【特許請求の範囲】
【請求項１】
景品が展示される展示部から当該展示部よりも下方側に設けられ前記景品を排出可能な排出口への経路である景品排出経路の内周面側のいずれかの部位に取り付け可能であって、前記排出される景品が間を通過可能に互いに対向し、かつ、前記景品が排出される方向に対して直交または傾斜する方向となるように取り付け可能な取り付け部を有する第１ユニット及び第２ユニットと、
前記第１ユニットと前記第２ユニットのうち、１つの発光部がいずれか一方のユニットに設けられ、前記発光部からの光を受光可能な複数の受光部がもう一方のユニットに設けられ、
前記１つの発光部と前記複数の受光部が第１ユニット及び第２ユニットにおいて交互に配置される
景品検出センサ装置。
【請求項２】
前記景品排出経路を構成する内周面のうち、前記排出口への排出経路を挟むようにして対向する第１側面部と第２側面部を有し、
前記第１ユニットは前記第１側面部に取り付けられ、前記第２ユニットは前記第２側面部に取り付けられる
請求項１記載の景品検出センサ装置。
【請求項３】
第１ユニットと第２ユニットのうち、１つの発光部がいずれか一方のユニットに設けられ、前記発光部からの光を受光可能な複数の受光部がもう一方のユニットに設けられており、かつ、前記１つの発光部と前記複数の受光部が第１ユニット及び第２ユニットにおいて交互に配置される第１ユニットと第２ユニットを準備し、
景品が展示される展示部から当該展示部よりも下方側に設けられ前記景品を排出可能な排出口への経路である景品排出経路の内周面側のいずれかの部位において、前記排出される景品が間を通過可能となるように前記第１ユニットと前記第２ユニットとを互いに対向させ、かつ、前記景品が排出される方向に対して直交または傾斜する方向となるように、前記第１ユニットと前記第２ユニットのそれぞれの取り付け部によって前記景品排出経路に取り付ける
景品検出センサ装置の取り付け方法。
【発明の詳細な説明】
【技術分野】
【０００１】
本発明は、景品検出センサ装置及び景品検出センサ装置の取り付け方法に関する。
【背景技術】
【０００２】
展示台に載置された景品に対して、遊戯者の操作内容に応じて移動する取得部を移動させて当該景品を把持し、景品投入口まで運ばれて落下させた場合には、景品が排出口から排出される。このようにして景品を取得することができる景品取得ゲーム装置がある（例えば、特許文献１）。
この景品取得ゲーム装置には、景品投入口の近傍に開閉弁が設けられており、この開閉弁の上に景品が載ったか否かを検出するセンサが設けられているものがある。そして、センサによって景品が検出された場合には、発光ダイオード等を用いて景品等を照明する効果的な演出が行われ、開閉弁が開き、景品が排出される。
【先行技術文献】
【特許文献】
【０００３】
【特許文献１】特開平９−１６４２６４号公報
【発明の概要】
【発明が解決しようとする課題】
【０００４】
しかしながら、上述したセンサを用いることで、遊戯者に対して景品の排出に伴う効果的な演出を行うことが可能となるが、このようなセンサの検出結果を店舗側においても有効に活用できることが望ましい。ここで、センサの出力信号を取り出して店舗の管理端末において取り込むことが考えられるが、景品取得ゲーム装置には、センサの出力信号を装置外部に出力することが想定されていない。そのため、センサの出力信号を外部に取り出すためには、景品取得ゲーム装置の稼働を一旦停止させた上で、内部に設けられた電装基板を取り出し、この電装基板の回路図等を参考にしてセンサの出力信号が伝送される経路を探しだし、出力信号を取り出すための信号線等を半田付け等をして取り付け、電装基板を元に戻す必要がある。そうすると、このような改修作業は、電子回路に関する知識が必要であり、また、その作業は非常に手間がかかり、作業時間もかかる。さらに、センサの出力信号が伝送される経路は、景品取得ゲーム装置の機種によって異なる上、景品取得ゲーム装置は、１つの店舗内に多数設置されている場合もある。そうすると、それぞれの景品取得ゲーム装置に、このような改修作業を行うことは、店舗側にとって非常に負担が大きい。また、このような作業は、営業時間外に行う必要があり、決められた時間内に終了しなければならない。
また、景品取得ゲーム装置によっては、このようなセンサが搭載されていない機種もあり、そのような場合には、改修作業自体を行うことができない。
さらに、センサの出力信号を外部に出力する機能を予め有する景品取得ゲーム装置を作成する方法もあるが、外部出力機能を有する景品取得ゲーム装置を新たに設計して作製、店舗内にある既存の景品取得ゲーム装置をそれぞれ入れ替える必要があり、時間的にも金額的にもコストが大きい。
【０００５】
本発明は、このような事情に鑑みてなされたもので、その目的は、取り付け作業の負担を低減することが可能な景品検出センサ装置及び景品検出センサ装置の取り付け方法を提供することにある。
【課題を解決するための手段】
【０００６】
上述した課題を解決するために、本発明は、景品が展示される展示部から当該展示部よりも下方側に設けられ前記景品を排出可能な排出口への経路である景品排出経路の内周面側のいずれかの部位に取り付け可能であって、前記排出される景品が間を通過可能に互いに対向し、かつ、前記景品が排出される方向に対して直交または傾斜する方向となるように取り付け可能な取り付け部を有する第１ユニット及び第２ユニットと、前記第１ユニットと前記第２ユニットのうち、１つの発光部がいずれか一方のユニットに設けられ、前記発光部からの光を受光可能な複数の受光部がもう一方のユニットに設けられ、前記１つの発光部と前記複数の受光部が第１ユニット及び第２ユニットにおいて交互に配置される。
【０００７】
また、本発明は、第１ユニットと第２ユニットのうち、１つの発光部がいずれか一方のユニットに設けられ、前記発光部からの光を受光可能な複数の受光部がもう一方のユニットに設けられており、かつ、前記１つの発光部と前記複数の受光部が第１ユニット及び第２ユニットにおいて交互に配置される第１ユニットと第２ユニットを準備し、景品が展示される展示部から当該展示部よりも下方側に設けられ前記景品を排出可能な排出口への経路である景品排出経路の内周面側のいずれかの部位において、前記排出される景品が間を通過可能となるように前記第１ユニットと前記第２ユニットとを互いに対向させ、かつ、前記景品が排出される方向に対して直交または傾斜する方向となるように、前記第１ユニットと前記第２ユニットのそれぞれの取り付け部によって前記景品排出経路に取り付ける景品検出センサ装置の取り付け方法である。
【発明の効果】
【０００８】
以上説明したように、この発明によれば、景品排出経路の内周面側のいずれかの部位において、当該排出される景品が間を通過可能となるように対向させ、第１ユニットと第２ユニットを取り付けるようにしたので、景品取得ゲーム装置に対して簡単に取り付けすることができ、取り付け作業の負担を低減することができる。
【図面の簡単な説明】
【０００９】
【図１】この発明の一実施形態による景品検出センサ装置を適用可能な景品取得ゲーム装置の外観を示す斜視図である。
【図２】景品検出センサ装置２の構成を説明する概略斜視図である。
【図３】景品落下部１０を上方側（展示部１２側）から見た概略図である。
【図４】景品落下部１０に景品検出センサ装置２を取り付けた場合の概略図である。
【図５】景品取得管理システムの構成を表す概略機能ブロック図である。
【図６】第２の実施形態における景品検出センサ装置２−１の構成を説明する概略斜視図である。
【発明を実施するための形態】
【００１０】
以下、本発明の一実施形態による景品検出センサ装置について図面を参照して説明する。
図１は、この発明の一実施形態による景品検出センサ装置を適用可能な景品取得ゲーム装置の外観を示す斜視図である。
景品取得ゲーム装置１は、景品落下部１０、景品取出口１１、展示部１２、取得部１３、移動部１４、操作部１５、コイン投入部１６、決済端末装置１７を含んで構成される。
景品は、展示部１２に載置されている。遊戯者は、ゲーム代金について、コイン投入部１６にコインを投入することで現金による決済を行うか、決済端末装置１７の近傍にＩＣカード等の決済用の決済媒体を近づけることで、非接触通信を用いた電子マネーによる決済を行う。決済が完了すると、遊戯者は、操作部１５を操作することで、取得部１３を移動部１４による移動が可能な範囲内で移動させ、所定のボタンを押下することで、取得部１３を鉛直方向の下方側に移動させることができる。取得部１３は、下方側における所定位置まで移動すると、取得部１３に設けられた一対の爪部を閉じ、所定距離だけ上方に移動した後、景品落下部１０の上方に移動し、爪部を開く。ここで、取得部１３によって景品の把持が成功していた場合には、景品が景品落下部１０の開口部に落下し、景品が展示される展示部１２から当該展示部１２よりも下方側に設けられ景品を排出可能な景品取出口への経路である景品排出経路（景品落下部１０と景品取出口１１との間の経路）を通過し、景品取出口１１の近傍に景品が落下する。遊戯者は、景品取出口１１のカバーを開くことで、景品を取り出すことができる。
【００１１】
図２は、景品検出センサ装置２の構成を説明する概略斜視図である。
景品検出センサ装置２は、第１ユニット２ａが信号線２５を介して中継装置２７に接続されるとともに、第２ユニット２ｂが信号線２６を介して中継装置２７に接続される。
第１ユニット２ａ及び第２ユニット２ｂは、景品排出経路のいずれかの部位に取り付け可能であって、互いに対向し、かつ、景品が排出される方向（例えば、展示部１２から景品取出口１１に向かう方向）に対して直交または傾斜する方向となるように取り付け可能な取り付け部を有する。この取り付け部は、例えば、第１ユニット２ａでは、第２ユニット２ｂに対向する面とは反対側の側面２ａ１を用いることができ、第２ユニット２ｂでは、第１ユニット２ａに対向する面とは反対側の側面２ｂ１を用いることができる。この取り付け部が取り付けられる部位としては、景品排出経路のいずれかの部位であればよく、例えば、景品排出経路の内周面を利用することができる。
【００１２】
第１ユニット２ａは、ベース部材２１と、発光部２１０ａ、受光部２１１ｂ、受光部２１２ｂ、受光部２１３ｂ、発光部２１４ｃ、受光部２１５ｄ、受光部２１６ｄ、受光部２１７ｄ、発光部２１８ｅを含んで構成される。
ベース部材２１の上面には、一方側の端部からもう一方側の端部に向かって、発光部２１０ａ、受光部２１１ｂ、受光部２１２ｂ、受光部２１３ｂ、発光部２１４ｃ、受光部２１５ｄ、受光部２１６ｄ、受光部２１７ｄ、発光部２１８ｅの順に配置される。
発光部２１０ａ、発光部２１４ｃ、発光部２１８ｅのそれぞれは、取り付け部として用いられる側面２ａ１とは反対側の面に発光素子（例えば、符号２１０ａ１）が設けられており、第２ユニット２ｂを向く方向に光を出射する。この出射された光は、第２ユニット２ｂに設けられた受光部によって受光可能である。このような発光素子は、中継装置２７からの駆動信号に応じて発光する。
受光部２１１ｂ、受光部２１２ｂ、受光部２１３ｂ、受光部２１５ｄ、受光部２１６ｄ、受光部２１７ｄのそれぞれは、第２ユニット２ｂを向く面に受光素子（例えば、符号２１１ｂ１）が設けられており、第２ユニット２ｂに設けられた発光部から発光された光を受光可能である。各受光素子は、受光した結果を表す出力信号を中継装置２７に出力する。
ベース部材２１のもう一方側の端部（発光部２１８ｅが設けられている方の端部）の近傍からは、信号線２５が取り出され中継装置２７に接続されており、第１ユニット２ａの各発光部及び各受光部への電源が供給されるとともに、各受光部の受光状態に応じた出力信号をそれぞれ中継装置２７に供給する。
【００１３】
第２ユニット２ｂは、ベース部材２２と、受光部２２０ａ、受光部２２１ａ、受光部２２２ａ、発光部２２３ｂ、受光部２２４ｃ、受光部２２５ｃ、受光部２２６ｃ、発光部２２７ｄ、受光部２２８ｅ、受光部２２９ｅを含んで構成される。
ベース部材２２の上面には、一方側の端部からもう一方側の端部に向かって、受光部２２０ａ、受光部２２１ａ、受光部２２２ａ、発光部２２３ｂ、受光部２２４ｃ、受光部２２５ｃ、受光部２２６ｃ、発光部２２７ｄ、受光部２２８ｅ、受光部２２９ｅの順に配置される。
発光部２２３ｂ、発光部２２７ｄのそれぞれは、取り付け部として用いられる側面２ｂ１とは反対側すなわち、第１ユニット２ａを向く面に発光素子が設けられており、第１ユニット２ａを向く方向に光を出射する。この出射された光は、第１ユニット２ａに設けられた受光部によって受光可能である。このような発光素子は、中継装置２７からの駆動信号に応じて発光する。
受光部２２０ａ、受光部２２１ａ、受光部２２２ａ、受光部２２４ｃ、受光部２２５ｃ、受光部２２６ｃ、受光部２２８ｅ、受光部２２９ｅのそれぞれは、第１ユニット２ａを向く方向に受光素子が設けられており、第１ユニット２ａに設けられた発光部から発光された光を受光可能である。これら受光部の各受光素子は、受光した結果を表す出力信号を中継装置２７に出力する。
ベース部材２２のもう一方側の端部（受光部２２９ｅが設けられている方の端部）の近傍からは、信号線２６が取り出され中継装置２７に接続されており、第２ユニット２ｂの各発光部及び各受光部への電源が供給されるとともに、各受光部の受光状態に応じた出力信号をそれぞれ中継装置２７に供給する。
【００１４】
このようにして、第１ユニット２ａと第２ユニット２ｂのうち、１つの発光部、例えば発光部２１０ａが第１ユニット２ａに設けられ、この発光部２１０ａから出射された光をもう一方のユニットである第２ユニット２ｂにおいて、受光可能な複数の受光部として、受光部２２０ａ、受光部２２１ａ、受光部２２２ａに設けられている。
また、第２ユニット２ｂに設けられた発光部２２３ｂから出射された光は、第１ユニット２ａの受光部２１１ｂ、受光部２１２ｂ、受光部２１３ｂによって受光可能である。同様に、第１ユニット２ａに設けられた発光部２１４ｃから出射された光は、第２ユニット２ｂの受光部２２４ｃ、受光部２２５ｃ、受光部２２６ｃによって受光可能であり、第２ユニット２ｂに設けられた発光部２２７ｄから出射された光は、第１ユニット２ａの受光部２１５ｄ、受光部２１６ｄ、受光部２１７ｄによって受光可能であり、第１ユニット２ａに設けられた発光部２１８ｅから出射された光は、第２ユニット２ｂの受光部２２８ｅ、受光部２２９ｅによって受光可能である。ここでは、１つの発光部に対して受光部が複数設けられればよく、１つの発光部に対して３つの受光部、あるいは２つの受光部が設けられる場合について説明するが、１つの発光部からの光を受光できるのであれば、４つ以上の受光部を設けるようにしてもよい。
このように、１つの発光部と複数の受光部とが第１ユニット及び第２ユニットにおいて交互に配置されており、１つの発光部から出射された光は、対向して設けられた複数の受光部によって受光可能となっている。
【００１５】
第１ユニット２ａに設けられた発光素子と第２ユニット２ｂに設けられた受光素子、第１ユニット２ａに設けられた受光素子と第２ユニット２ｂに設けられた発光素子は、お互いに対向する向きとなるように配置されればよい。この対向する向きとしては、発光素子からの光が受光素子によって受光可能な向きとなっていてもよい。
【００１６】
このような設置状態においては、通常、各発光部からの光は、それぞれ対応する複数の受光部によって受光され、各受光部からは、光を受光したことを表す出力信号が中継装置２７に供給される。これにより、中継装置２７においては、各受光部において光を受光できていると判定することができる。
ここで、遊戯者の操作に応じて景品が景品落下部１０の開口部に落下すると、第１ユニットａと第２ユニット２ｂの間を景品が通過する。その際、第１ユニットａと第２ユニット２ｂの間のうち、景品が通過した位置において、発光部から複数の受光部に対するいずれかの光が景品によって遮断される。光が遮断された受光部からの出力信号は、光を受光していないことを表す出力信号が中継装置２７に供給される。これにより中継装置２７は、景品が景品排出経路を通過した、すなわち、景品が展示部１２から景品取出口１１に移動し、遊戯者によって取得されたことを検出することができる。
【００１７】
ここでは、複数の受光部のうち、少なくともいずれか１つの受光部において、光が遮断されたことを検出することができた場合には、景品が景品排出経路を通過したことを検出することができる。
また、複数の受光部によって光が遮断されたことを検出する場合もあり得る。その場合、複数の受光部におけるそれぞれの出力信号についての非受光状態を表す信号を受信した時刻が一定時間の範囲内である場合には、中継装置２７は、１つの景品が複数の受光部について光を遮断したと判定することができる。また、非受光状態を表す信号（例えば所定レベル以下を表す信号）を受信した時刻が一定時間の範囲内を超えた場合には、複数の景品（例えば２個）が通過したとして判定してもよい。
【００１８】
ここで、上述した第１ユニット２ａと第２ユニット２ｂとにおいて、隣接する発光部や受光部の間隔や個数は、任意に設定することができるが、検出対象となる景品の形状やサイズに応じて設定されるようにしてもよい。例えば、景品の形状やサイズよりも小さな間隔となるように設定することで、景品が取得されたことを検出できないまま景品が排出されてしまうことを防止することができ、検出精度を向上させることができる。
【００１９】
また、１つの発光部に対して複数の受光部によって受光するようにした。ここでは、発光部から発光される光の照射範囲は、発光素子からの距離が離れるほど照射範囲が拡大するようになっており、発光部からある程度離れた位置において受光する場合には、受光素子をその照射範囲に収まるように配置できれば受光可能であるため、発光部に対する受光部の位置関係を厳密に調整しなくても受光可能であり、取り付け位置の自由度を向上させることができる。取り付け位置の自由度を向上させることができるため、景品検出センサ装置２を取り付けるにあたり、取り付け位置の調整を簡単に行うことができる。
【００２０】
また、第１ユニット２ａと第２ユニット２ｂとにおいて、隣接する発光部や受光部の間隔を狭めるようにしたり、取り付け対象部位における取り付け個数を増やすことで、分解能を向上させることができるため、幅が狭い景品やサイズが小さな景品であっても精度良く検出することができる。
【００２１】
図３は、景品落下部１０を上方側（展示部１２側）から見た概略図である。景品落下部１０によって形成される景品排出経路のうち、展示部１２側の開口部と、景品取出口１１側の開口部の間の経路の少なくとも一部は、側面部１０ａに対して側面部１０ｂが対向しており、側面部１０ｃに対して側面部１０ｄが対向することで形成されており、水平方向における断面は略矩形状である。なお、ここでは、展示部１２側の開口部から側面部１０ｂに至るまでの間については、傾斜面が設けられており、展示部１２側の開口部の開口面積よりも、側面部１０ａ、側面部１０ｂ、側面部１０ｃ、側面部１０ｄによって構成される開口部の開口面積の方が狭くなるようになっている。
【００２２】
図４は、図３に示す景品落下部１０に景品検出センサ装置２を取り付けた場合の上面側から見た概略図である。ここでは、景品排出経路には、排出経路を構成する内周面のうち、排出口への排出方向に経路を挟むようにして対向する第１側面部と第２側面部があり、第１ユニット２ａは第１側面部に取り付けられ、第２ユニット２ｂは第２側面部に取り付けられる。より具体的に、第１ユニット２ａの側面２ａ１が側面部１０ａに対して取り付けられており、第２ユニット２ｂの側面２ｂ１が側面部１０ｂに対して取り付けられる。
【００２３】
第１ユニット２ａと第２ユニット２ｂにおいて、取り付け部の取り付けは、第１ユニット２ａの側面２ａ１と側面部１０ａとの間及び第２ユニット２ｂの側面２ｂ１と側面部１０ｂとの間に粘着材を介して粘着させることで取り付けるようにしてもよいし、接着材で接着することで取り付けるようにしてもよい。粘着材あるいは接着材を用いることで任意の位置に対し、景品落下部１０の内周面に特別な加工（ねじによって固定するための孔を開ける等）を行うことなく、簡単に取り付けることができる。なお、ねじ孔が予め設けられている場合には、その孔を利用してねじによって取り付けるようにしてもよい。
【００２４】
第１ユニット２ａと第２ユニット２ｂのそれぞれの信号線は、景品落下部１０の内周面に沿って景品落下部１０の外部に引き回される。ここでは、景品落下部１０のいずれかの側面部どうしの間に信号線を外部に取り出すことができる程度の隙間があれば、その隙間を利用して外部に取り出すことができる。隙間がない場合には、景品落下部１０の景品取出口１１側の開口部から外側に信号線を取り回すことで外部に取り出すようにしてもよい。このようにして取り出された信号線は、中継装置２７の接続端子に接続される。中継装置２７は、景品検出センサ装置２から得られた出力信号を取得することで、他の機器に対して、この出力信号に応じた検出結果を出力することができる。このように、景品検出センサ装置２を用いることで、景品取得ゲーム装置１の景品排出経路の内周面において、対向するようにして、景品検出センサ装置２の第１ユニットと第２ユニットを取り付けるようにしたので、既存の景品取得ゲーム装置１に対して簡単に取り付けすることができ、景品が排出されたか否かの結果を景品検出センサ装置２から中継装置２７を介して外部の装置において簡単に取得することが可能となる。
ここでは、景品取得ゲーム装置１の電装基板を取り出し、回路図を参照して既存のセンサの出力信号が伝送される経路を特定し、その出力信号を分岐して取り出すための信号線を半田付け等をして接続する必要がないため、電子回路に関する特別な知識が不要であり、作業の手間を簡単にし、かつ、作業時間を短縮することが可能である。
【００２５】
なお、中継装置２７は、景品取得ゲーム装置１において、例えば、コイン投入部１６が収容されている収容領域には他の機器を収容可能な空きスペースがあるため、その空きスペースに収容される。そのため、景品取得ゲーム装置１の外部からは、中継装置２７が視認できない領域（あるいは視認しにくい領域）に収容可能である。
【００２６】
また、ここで、第１ユニット２ａと第２ユニット２ｂについて景品排出経路に取り付けた場合、側面部１０ａあるいは側面部１０ｂよりも内周面側へ幅方向のサイズがある程度小さいため、景品が景品排出経路を通過する際に、景品の一部が第１ユニット２ａあるいは第２ユニット２ｂに引っ掛かることはない。仮に引っ掛かる可能性がある場合には、側面部１０ａあるいは側面部１０ｂから景品排出経路の中心側に向かって傾斜する傾斜部材を設けるようにしてもよい。
【００２７】
また、景品取得ゲーム装置１の機種によっては、この景品落下部１０の開口部と展示部１２との間に円筒状のガイド部材、あるいは装飾が施された演出部材が取り付けられる場合もある。この場合、展示部１２側から景品落下部１０側を見た場合には、景品排出経路の水平方向における開口部の開口形状が円形であるように見える。しかし、多くの機種において、ガイド部材（あるいは装飾部材）よりも下方側（展示部１２側を基準としたとき、景品取出口１１に向かう方向を下流側であり、その反対の方向を上流側とする）においては、断面が矩形状になるように４つの側面部によって形成されている。そのため、このような部位を利用して景品検出センサ装置２を取り付けすることが可能である。
【００２８】
図５は、上述の景品取得ゲーム装置１、景品検出センサ装置２、中継装置２７を用いて構成される景品取得管理システムの構成を表す概略機能ブロック図である。
中継装置２７には、景品検出センサ装置２が接続されるとともに、決済端末装置１７、コインメック１８が接続されるとともにゲートウェイ装置４５に接続される。
中継装置２７は、景品取得ゲーム装置の稼働状況を表す稼働情報をゲートウェイ装置４５を介して売上集計サーバ７０に送信する。この稼働情報には、例えば、景品検出センサ装置２の検出結果、決済端末装置１７に対してＩＣカード１７ａを近接させたことに応じて行われる電子マネー決済の決済情報（金額、決済日時等）や、コインメック１８を利用して現金によって決済された決済情報（金額、決済日時等）、景品検出センサ装置２が取り付けられた対象の景品取得ゲーム装置１を識別する識別情報、中継装置２７を識別する識別情報等を含めることができる。これにより、中継装置２７は、稼働情報をゲートウェイ装置４５を介して売上集計サーバ７０に送信することができる。
【００２９】
ゲートウェイ装置４５は、インターネット等のネットワークを介して売上集計サーバ７０に接続される。ゲートウェイ装置４５は、中継装置２７と売上集計サーバ７０との間においてゲートウェイとして機能する。
売上集計サーバ７０は、中継装置２７から送信される稼働情報を受信し、内部のハードディスク装置等の記憶部に記憶する。ここでは、複数の中継装置２７から稼働情報を受信し、各中継装置２７から受信したそれぞれの稼働情報を中継装置２７毎に記憶することができる。
【００３０】
施設管理者端末８０は、景品取得ゲーム装置１が設置された店舗に設けられ、その店舗の店長や店員等、店舗を管理する施設管理者によって操作される。施設管理者は、施設管理者端末８０を操作することによって、自店舗における景品取得ゲーム装置１における景品が排出された個数や決済金額（売り上げ）等を確認することができる。ここでは、店舗に設置された複数の景品取得ゲーム装置１に対し、それぞれ景品検出センサ装置２が取り付けられている場合には、それらの景品取得ゲーム装置１については、景品が排出された数が、景品が排出された時刻とともに中継装置２７から送信され売上集計サーバ７０に記憶されている。そのため、施設管理者は、その店舗内にあるそれぞれの景品取得ゲーム装置１について、施設管理者端末８０を用いることで、稼働情報を確認することができる。ここでは、景品の排出された個数だけでなく、どの景品取得ゲーム装置１において景品がどの程度排出されたか、また、どの程度の売り上げがあったかの関係性も把握することができる。
【００３１】
図６は、第２の実施形態における景品検出センサ装置２−１の構成を説明する概略斜視図である。
第２実施形態における景品検出センサ装置２−１と第１実施形態における景品検出センサ装置２とで異なる点は、景品検出センサ装置２−１では、景品検出センサ装置２おけるベース部材２１、ベース部材２２を用いるのではなく、発光部や受光部が連結部材を介して連結されることで、第１ユニット２ｃ、第２ユニット２ｄが構成される点である。
景品検出センサ装置２−１において、発光部と受光部の位置関係は景品検出センサ装置２と同様であるが、発光部や受光部の間に連結部材が設けられる。この連結部材は、連結方向において、隣接する発光部、受光部、他の連結部材と連結可能となっており、発光部や受光部の間が所定の距離となるように間に介挿される。
例えば、第１ユニット２ｃにおいて、発光部２３０ａと受光部２３３ｂとの間には、連結部材２３１ｂ、連結部材２３２ｂが連結される。これに対してさらに、他の発光部あるいは受光部が連結部材を介して連結されることで、第１ユニット２ｃが構成される。第１ユニット２ｃからは、信号線２５ａを介して、中継装置２７と接続される。また、第２ユニット２ｄにおいて、受光部２４０ａと受光部２４３ａとの間には、連結部材２４１ａ、連結部材２４２ａが介挿される。これに対してさらに、他の発光部あるいは受光部が連結部材を介して連結されることで、第２ユニット２ｄが構成される。第２ユニット２ｄからは、信号線２６ａを介して、中継装置２７と接続される。
ここでは、発光部、受光部、連結部材は、それぞれ、隣接する発光部、受光部、連結部材のいずれかに対して連結される部位において、電気的に接続するための接続端子が設けられており、発光部、受光部、連結部材がそれぞれ連結されると、お互いの接続端子についても電気的に接続される。これにより、各発光部、各受光部に対する電気信号等については、信号線２５ａまたは信号線２６ａ側に接続された発光部、受光部又は連結部材を経由し、自身が連結されている第１ユニット２ｃ又は第２ユニット２ｄの信号線２５ａ又は信号線２６ｂに対して電気的に接続される。
【００３２】
ここで、連結部材どうし、あるいは連結部材と発光部あるいは受光部とは、お互いに隣り合う面において、お互いに嵌合可能な凹凸形状が形成された凹凸部が設けられており、この凹凸部同士で嵌合することで連結することができる。なお、この連結は、嵌合する他に、粘着材や接着材で接合することで連結させるようにしてもよい。
【００３３】
第１ユニット２ｃは、側面２ｃ１を取り付け部として、景品落下部１０の内周面のいずれかの部位に取り付けられ、第２ユニット２ｄは、側面２ｄ１を取り付け部として、景品落下部１０の内周面のいずれかの部位に取り付けられる。この取り付けは、第１の実施形態と同様に、粘着材、接着材で取り付けられてもよく、ねじ等で取り付けられてもよい。
【００３４】
また、上述した、景品検出センサ装置２、景品検出センサ装置２−１は、ベース部材の長手方向における長さを、景品取得ゲーム装置１の景品排出経路の取り付け対象部位に応じた長さのものを準備し、発光部及び受光部の数について、その長手方向の長さに応じた数となるように、発光部及び受光部を各ベース部材に配置すればよい。このような長さに設定した景品検出センサ装置２（景品検出センサ装置２−１）を取り付け対象の店舗に持参することで、長手方向の長さ調整を店舗において実施しなくてすみ、その店舗において取り付け対象の景品取得ゲーム装置１に対して簡単に取り付けることができる。これにより店舗において行う作業は取り付け作業ですむ。
【００３５】
また、ベース部材２１、ベース部材２２の長手方向の長さが、景品排出経路における景品が排出される方向に対して直交する方向の長さよりも長い場合には、直交する方向よりも傾斜した方向にすることで収まるようであれば、傾斜した状態で取り付けるようにしてもよい。これにより、様々なサイズの景品排出経路の取り付け部位であっても、柔軟に取り付けることができる。
【００３６】
また、上述した実施形態において、第１ユニット、第２ユニットは、長手方向において直線状となるように構成される場合について説明したが、長手方向において湾曲するようにしてもよい。例えば、景品落下部１０の円筒状である内周面に取り付ける場合には、その内周面の曲面に沿うようにして湾曲させて取り付けるようにしてもよい。
【００３７】
上述した実施形態において、景品排出経路を構成する壁面において、第１ユニットと第２ユニットを複数組み設けるようにしてもよい。例えば、図４における景品落下部１０における側面部１０ａと側面部１０ｂに景品検出センサ装置を設けるとともに、側面部１０ｃに第１ユニット２ａ、側面部１０ｄに第２ユニット２ｂをさらに設けるようにしてもよい。これにより、検出精度を向上させることができる。また景品検出センサ装置２は、景品落下部１０の景品排出経路の落下方向に対して、複数段となるように設けるようにしてもよい。これにより、上段側の景品検出センサ装置２の検出可能範囲を通過しなかった場合であっても、下段側の景品検出センサ装置２によって景品を検出することが可能となり、検出精度を向上させることができる。
以上、この発明の実施形態について図面を参照して詳述してきたが、具体的な構成はこの実施形態に限られるものではなく、この発明の要旨を逸脱しない範囲の設計等も含まれる。
【符号の説明】
【００３８】
１  景品取得ゲーム装置
２，２−１  景品検出センサ装置
１０  景品落下部
１１  景品取出口
１２  展示部
１３  取得部
１４  移動部
１５  操作部
１６  コイン投入部
１７  決済端末装置
２ａ，２ｃ  第１ユニット
２ｂ，２ｄ  第２ユニット
２１，２２  ベース部材
２ａ１，２ｂ１  側面
２１０ａ，２１４ｃ，２１８ｅ，２２３ｂ，２２７ｄ，２３０ａ  発光部
２１１ｂ，２１２ｂ，２１３ｂ，２１５ｄ，２１６ｄ，２１７ｄ，２２０ａ，２２１ａ，２２２ａ，２２４ｃ，２２５ｃ，２２６ｃ，２２８ｅ，２２９ｅ，２４０ａ．２４３ａ  受光部
２３１ｂ，２３２ｂ，２４１ａ，２４２ａ  連結部材
２５，２５ａ，２６，２６ａ  信号線
２７  中継装置
【図１】
2020018771.tif 000003
【図２】
2020018771.tif 000004
【図３】
2020018771.tif 000005
【図４】
2020018771.tif 000006
【図５】
2020018771.tif 000007
【図６】
2020018771.tif 000008